(57)【要約】【課題】オブジェクト毎に最適な画質設定を達成することが可能な印刷制御装置、方法およびプログラムを提供する。【解決手段】印刷データ処理部１１は印刷データを描画処理して画像情報を生成し、画像情報解析手段１６は画像情報内のオブジェクトに関するオブジェクト情報を解析し、オブジェクト情報抽出部１７はオブジェクト情報を画像情報から抽出し、オブジェクト情報の表示が要求されると、オブジェクト情報を表示装置９に表示する。ここで、オブジェクト情報の変更指示が入力されると、オブジェクト情報変更手段１２はオブジェクト情報の変更指示を受け付けると、受け付けたオブジェクト情報の変更指示に従って画像情報のオブジェクト情報を変更する。【選択図】図１
2005227865.tif 000002
【特許請求の範囲】
【請求項１】
印刷装置で印刷処理する印刷データの印刷制御処理を行う印刷制御装置において、
前記印刷データを受け付ける印刷データ受付手段と、
前記印刷データ受付手段で受け付けた印刷データを画像処理して画像情報を生成する印刷データ処理手段と、
前記印刷データ処理手段で生成した画像情報内の少なくとも１つの描画オブジェクトを解析する画像情報解析手段と、
前記画像情報解析手段で解析した描画オブジェクトに関するオブジェクト情報を表示手段に表示する表示制御手段と、
前記オブジェクト情報の変更指示を受け付けるオブジェクト情報変更指示受付手段と、
前記オブジェクト情報変更指示受付手段で受け付けたオブジェクト情報の変更指示に従って前記描画オブジェクトに関するオブジェクト情報を変更するオブジェクト情報変更手段と、
前記画像情報と前記オブジェクト情報とを記憶保持する記憶手段と
を具備することを特徴とする印刷制御装置。
【請求項２】
前記表示制御手段は、
前記表示手段に前記画像情報の印刷イメージとともに前記オブジェクト情報を表示する
ことを特徴とする請求項１記載の印刷制御装置。
【請求項３】
前記画像情報解析手段が解析するオブジェクト情報は、
前記描画オブジェクトの種類、フォント、サイズ、色、太さ、解像度、サイズである
ことを特徴とする請求項１記載の印刷制御装置。
【請求項４】
前記描画オブジェクトの種類は、
テキスト、イメージ、グラフィックスであり、
前記オブジェクト情報変更手段は、
前記描画オブジェクトの種類がイメージである場合、該イメージに対して文字認識を実行し、該文字認識により認識した文字をテキストの描画オブジェクトに変更する
ことを特徴とする請求項３記載の印刷制御装置。
【請求項５】
前記オブジェクト情報変更手段は、
前記描画オブジェクトに対して前記印刷装置で印刷処理するか否かを設定する
ことを特徴とする請求項１記載の印刷制御装置。
【請求項６】
前記オブジェクト情報変更手段は、
前記オブジェクト情報の変更により前記画像情報の印刷に不具合が発生する場合、該不具合の発生を警告する
ことを特徴とする請求項１記載の印刷制御装置。
【請求項７】
印刷装置で印刷処理する印刷データの印刷制御処理を行う印刷制御方法において、
前記印刷データを受け付け、
該受け付けた印刷データを画像処理して画像情報を生成し、
該生成した画像情報内の少なくとも１つの描画オブジェクトを解析し、
該解析した描画オブジェクトに関するオブジェクト情報を表示装置に表示し、
前記オブジェクト情報の変更指示を受け付けた際に、該受け付けたオブジェクト情報の変更指示に従って前記描画オブジェクトに関するオブジェクト情報を変更し、
前記画像情報と前記オブジェクト情報とを記憶保持する
ことを特徴とする印刷制御方法。
【請求項８】
前記表示装置に前記画像情報の印刷イメージとともに前記オブジェクト情報を表示する
ことを特徴とする請求項７記載の印刷制御方法。
【請求項９】
前記オブジェクト情報は、
前記描画オブジェクトの種類、フォント、サイズ、色、太さ、解像度、サイズである
ことを特徴とする請求項７記載の印刷制御方法。
【請求項１０】
前記描画オブジェクトの種類は、
テキスト、イメージ、グラフィックスであり、
前記オブジェクト情報を変更する際に前記描画オブジェクトの種類がイメージである場合、該イメージに対して文字認識を実行し、該文字認識により認識した文字をテキストの描画オブジェクトに変更する
ことを特徴とする請求項９記載の印刷制御方法。
【請求項１１】
前記オブジェクト情報を変更する際に、前記描画オブジェクトに対して前記印刷装置で印刷処理するか否かを設定する
ことを特徴とする請求項７記載の印刷制御方法。
【請求項１２】
前記オブジェクト情報を変更する際に、該変更により前記画像情報の印刷に不具合が発生する場合、該不具合の発生を警告する
ことを特徴とする請求項７記載の印刷制御方法。
【請求項１３】
印刷装置で印刷処理する印刷データの印刷制御処理を行う印刷制御プログラムにおいて、
前記印刷データを受け付ける処理と、
該受け付けた印刷データを画像処理して画像情報を生成する処理と、
該生成した画像情報内の少なくとも１つの描画オブジェクトを解析する処理と、
該解析した描画オブジェクトに関するオブジェクト情報を表示装置に表示する処理と、
前記オブジェクト情報の変更指示を受け付けた際に、該受け付けたオブジェクト情報の変更指示に従って前記描画オブジェクトに関するオブジェクト情報を変更する処理と、
前記画像情報と前記オブジェクト情報とを記憶保持する処理と
をコンピュータに動作させることを特徴とする印刷制御プログラム。
【請求項１４】
前記表示装置に前記画像情報の印刷イメージとともに前記オブジェクト情報を表示する処理
をコンピュータに動作させることを特徴とする請求項１３記載の印刷制御プログラム。
【請求項１５】
前記オブジェクト情報は、
前記描画オブジェクトの種類、フォント、サイズ、色、太さ、解像度、サイズである
ことを特徴とする請求項１３記載の印刷制御プログラム。
【請求項１６】
前記描画オブジェクトの種類は、
テキスト、イメージ、グラフィックスであり、
前記オブジェクト情報を変更する際に前記描画オブジェクトの種類がイメージである場合、該イメージに対して文字認識を実行し、該文字認識により認識した文字をテキストの描画オブジェクトに変更する処理
をコンピュータに動作させることを特徴とする請求項１５記載の印刷制御プログラム。
【請求項１７】
前記オブジェクト情報を変更する際に、前記描画オブジェクトに対して前記印刷装置で印刷処理するか否かを設定する処理
をコンピュータに動作させることを特徴とする請求項１３記載の印刷制御プログラム。
【請求項１８】
前記オブジェクト情報を変更する際に、該変更により前記画像情報の印刷に不具合が発生する場合、該不具合の発生を警告する処理
をコンピュータに動作させることを特徴とする請求項１３記載の印刷制御プログラム。
【発明の詳細な説明】
【技術分野】
【０００１】
本発明は、印刷制御装置、方法およびプログラムに関し、特に、印刷処理を行う印刷データのプレビューを表示する印刷制御装置、方法およびプログラムするに関する。
【背景技術】
【０００２】
近年、プリンタドライバの機能が豊富になり、ユーザが実際の出力結果を正確にイメージして、印刷文書に対して最適な印刷モードを選ぶことが困難であるという問題がある。
【０００３】
そこで、上記のような問題を解決するため、例えば、実際に用紙に印刷する前にホストＰＣ上で印刷プレビューを表示することにより印刷結果を確認するプリンタドライバがある（例えば、特許文献１参照。）。
【０００４】
また、印字品質を設定する画質モードも豊富になったが、印刷文書には多様な印刷対象オブジェクト（文字、グラフィックス、ビットマップ等）が存在するため、全てのオブジェクトを最適な画質で印刷することは困難であるという問題がある。
【０００５】
そこで、上記のような問題を解決するため、例えば、印刷前に画像データを解析し、自動的に最適な記録方法に設定された画質設定メニューを表示する印刷制御装置および印刷制御装置の印刷制御方法および記憶媒体がある（例えば、特許文献２参照。）。
【特許文献１】特開２０００−３３９１２１号公報
【特許文献２】特開２００２−９１２７９号公報
【発明の開示】
【発明が解決しようとする課題】
【０００６】
しかし、特許文献１に記載された技術、および特許文献２に記載された技術では、多様なオブジェクトが混在した文書の場合、それぞれのオブジェクトに対して最適な画質モードを選択することは困難であるという問題がある。
【０００７】
また、アプリケーションプログラムが文字オブジェクトをビットマップとして扱って印刷指示することもあり、文字オブジェクトであるにも関わらず、ビットマップとして画像処理されてしまい、きれいに出力されないという問題がある。
【０００８】
そこで、本発明は、上記問題点を鑑みてなされたもので、オブジェクト毎に最適な画質設定を達成することが可能な印刷制御装置、方法およびプログラムを提供することを目的とする。
【課題を解決するための手段】
【０００９】
上記目的を達成するため、請求項１の発明は、印刷装置で印刷処理する印刷データの印刷制御処理を行う印刷制御装置において、前記印刷データを受け付ける印刷データ受付手段と、前記印刷データ受付手段で受け付けた印刷データを画像処理して画像情報を生成する印刷データ処理手段と、前記印刷データ処理手段で生成した画像情報内の少なくとも１つの描画オブジェクトを解析する画像情報解析手段と、前記画像情報解析手段で解析した描画オブジェクトに関するオブジェクト情報を表示手段に表示する表示制御手段と、前記オブジェクト情報の変更指示を受け付けるオブジェクト情報変更指示受付手段と、前記オブジェクト情報変更指示受付手段で受け付けたオブジェクト情報の変更指示に従って前記描画オブジェクトに関するオブジェクト情報を変更するオブジェクト情報変更手段と、前記画像情報と前記オブジェクト情報とを記憶保持する記憶手段とを具備することを特徴とする。
【００１０】
なお、印刷データ受付手段は図１に示す印刷データ受付部１０に対応し、印刷データ処理手段は図１に示す印刷データ処理部１１に対応し、画像情報解析手段は図２に示す画像情報解析手段１６に対応し、表示制御手段は図１に示すＵＩ制御部１３に対応し、オブジェクト情報変更手段は図２に示すオブジェクト情報変更手段１８に対応し、記憶手段は図１に示す画像情報保存部１４に対応する。
【００１１】
また、請求項２の発明は、請求項１の発明において、前記表示制御手段は、前記表示手段に前記画像情報の印刷イメージとともに前記オブジェクト情報を表示することを特徴とする。
【００１２】
また、請求項３の発明は、請求項１の発明において、前記画像情報解析手段が解析するオブジェクト情報は、前記描画オブジェクトの種類、フォント、サイズ、色、太さ、解像度、サイズであることを特徴とする。
【００１３】
また、請求項４の発明は、請求項３の発明において、前記描画オブジェクトの種類は、テキスト、イメージ、グラフィックスであり、前記オブジェクト情報変更手段は、前記描画オブジェクトの種類がイメージである場合、該イメージに対して文字認識を実行し、該文字認識により認識した文字をテキストの描画オブジェクトに変更することを特徴とする。
【００１４】
また、請求項５の発明は、請求項１の発明において、前記オブジェクト情報変更手段は、前記描画オブジェクトに対して前記印刷装置で印刷処理するか否かを設定することを特徴とする。
【００１５】
また、請求項６の発明は、請求項１の発明において、前記オブジェクト情報変更手段は、前記オブジェクト情報の変更により前記画像情報の印刷に不具合が発生する場合、該不具合の発生を警告することを特徴とする。
【００１６】
また、請求項７の発明は、印刷装置で印刷処理する印刷データの印刷制御処理を行う印刷制御方法において、前記印刷データを受け付け、該受け付けた印刷データを画像処理して画像情報を生成し、該生成した画像情報内の少なくとも１つの描画オブジェクトを解析し、該解析した描画オブジェクトに関するオブジェクト情報を表示装置に表示し、前記オブジェクト情報の変更指示を受け付けた際に、該受け付けたオブジェクト情報の変更指示に従って前記描画オブジェクトに関するオブジェクト情報を変更し、前記画像情報と前記オブジェクト情報とを記憶保持することを特徴とする。
【００１７】
また、請求項８の発明は、請求項７の発明において、前記表示装置に前記画像情報の印刷イメージとともに前記オブジェクト情報を表示することを特徴とする。
【００１８】
また、請求項９の発明は、請求項７の発明において、前記オブジェクト情報は、前記描画オブジェクトの種類、フォント、サイズ、色、太さ、解像度、サイズであることを特徴とする。
【００１９】
また、請求項１０の発明は、請求項９の発明において、前記描画オブジェクトの種類は、テキスト、イメージ、グラフィックスであり、前記オブジェクト情報を変更する際に前記描画オブジェクトの種類がイメージである場合、該イメージに対して文字認識を実行し、該文字認識により認識した文字をテキストの描画オブジェクトに変更することを特徴とする。
【００２０】
また、請求項１１の発明は、請求項７の発明において、前記オブジェクト情報を変更する際に、前記描画オブジェクトに対して前記印刷装置で印刷処理するか否かを設定することを特徴とする。
【００２１】
また、請求項１２の発明は、請求項７の発明において、前記オブジェクト情報を変更する際に、該変更により前記画像情報の印刷に不具合が発生する場合、該不具合の発生を警告することを特徴とする。
【００２２】
また、請求項１３の発明は、印刷装置で印刷処理する印刷データの印刷制御処理を行う印刷制御プログラムにおいて、前記印刷データを受け付ける処理と、該受け付けた印刷データを画像処理して画像情報を生成する処理と、該生成した画像情報内の少なくとも１つの描画オブジェクトを解析する処理と、該解析した描画オブジェクトに関するオブジェクト情報を表示装置に表示する処理と、前記オブジェクト情報の変更指示を受け付けた際に、該受け付けたオブジェクト情報の変更指示に従って前記描画オブジェクトに関するオブジェクト情報を変更する処理と、前記画像情報と前記オブジェクト情報とを記憶保持する処理とをコンピュータに動作させることを特徴とする。
【００２３】
また、請求項１４の発明は、請求項１３の発明において、前記表示装置に前記画像情報の印刷イメージとともに前記オブジェクト情報を表示する処理をコンピュータに動作させることを特徴とする。
【００２４】
また、請求項１５の発明は、請求項１３の発明において、前記オブジェクト情報は、前記描画オブジェクトの種類、フォント、サイズ、色、太さ、解像度、サイズであることを特徴とする。
【００２５】
また、請求項１６の発明は、請求項１５の発明において、前記描画オブジェクトの種類は、テキスト、イメージ、グラフィックスであり、前記オブジェクト情報を変更する際に前記描画オブジェクトの種類がイメージである場合、該イメージに対して文字認識を実行し、該文字認識により認識した文字をテキストの描画オブジェクトに変更する処理をコンピュータに動作させることを特徴とする。
【００２６】
また、請求項１７の発明は、請求項１３の発明において、前記オブジェクト情報を変更する際に、前記描画オブジェクトに対して前記印刷装置で印刷処理するか否かを設定する処理をコンピュータに動作させることを特徴とする。
【００２７】
また、請求項１８の発明は、請求項１３の発明において、前記オブジェクト情報を変更する際に、該変更により前記画像情報の印刷に不具合が発生する場合、該不具合の発生を警告する処理をコンピュータに動作させることを特徴とする。
【発明の効果】
【００２８】
本発明によれば、実際の印刷オブジェクト毎に対して画質設定を変更できるため、１つの文書に多様なオブジェクトが混在した場合でも、また、アプリケーションがオブジェクトの扱いを誤った場合でも、最適な画質設定が可能になり、更に、特定の線だけを太くするといったオブジェクト単位の編集も可能になるという効果を奏する。
【発明を実施するための最良の形態】
【００２９】
以下、本発明の実施の形態について添付図面を参照して詳細に説明する。
【００３０】
実施の形態として、ＰＣ（Personal Computer）等の情報処理装置と印刷装置とがネットワークを介して接続され、印刷制御処理機能を有するプリンタドライバが情報処理装置にインストールされている構成を一例にして説明する。
【００３１】
なお、情報処理装置内のアプリケーションプログラムからプリンタドライバに入力される文書、図または画像等のデータを印刷データとし、プリンタドライバで印刷データに基づいて作成され、印刷装置に出力されるデータを印刷ジョブとする。ここで、印刷ジョブは、印刷装置で印刷処理される画像情報（例えば、ＰＤＬ［Page Description Language］）および当該印刷処理の制御に用いられる制御データを含んでいる。
【００３２】
図１は、本発明の実施の形態で用いる印刷システム１の全体構成の一例を示すブロック図である。
【００３３】
図１に示すように、印刷システム１は情報処理装置２と印刷装置３とがネットワーク４を介して接続し、情報処理装置２にはプリンタドライバ５がインストールされている。
【００３４】
情報処理装置２はアプリケーションプログラムによって実現される各種のアプリケーション６、ネットワーク４を介するデータの送受信の処理を行う通信制御部７から構成され、これらは、図示していないＯＳ（Operating System）の制御下で、当該ＯＳの機能を利用して各種処理を実行する。また、情報処理装置２にはキーボードまたはマウス等の入力装置８、ディスプレイ等の表示装置９が接続されている。なお、上記で説明した印刷処理に関する構成部分以外の構成部分については図示しないため、説明は省略する。
【００３５】
次に、プリンタドライバ５の機能的な構成について詳細に説明する。
【００３６】
図１に示すように、プリンタドライバ５は印刷データ受付部１０、印刷データ処理部１１、オブジェクト情報処理部１２、ＵＩ制御部１３、画像情報保存部１４、印刷ジョブ作成部１５から構成されている。
【００３７】
ここで、各構成部について詳細に説明する。
【００３８】
印刷データ受付部１０は、アプリケーション６から印刷データを受け付ける処理を行う。
【００３９】
印刷データ処理部１１は、印刷データ受付部１０で受け付けた印刷データを描画処理して画像情報を生成する処理を行い、オブジェクト情報制御部１２からオブジェクト情報の変更の指示を受け付けた場合には、画像情報のオブジェクト情報を変更する処理を行う。
【００４０】
オブジェクト情報処理部１２は、印刷データ処理部１１で生成した画像情報内のオブジェクトに関するオブジェクト情報の解析および変更の処理を行う。
【００４１】
ＵＩ制御部１３は、表示装置９に表示するプリンタドライバＵＩ（User Interface）である印刷プロパティ画面の表示制御の処理、および入力装置８により入力されたユーザの指示または選択を受け付ける処理を行う。
【００４２】
画像情報保存部１４は、印刷データ処理部１１で生成した画像情報とともに、当該画像情報のオブジェクト情報を保存する。
【００４３】
印刷ジョブ作成部１５は、印刷データ処理部１１で生成した画像情報に基づいて印刷ジョブを作成する。
【００４４】
図２は、オブジェクト情報処理部１２およびＵＩ制御部１３の機能的構成の一例を示すブロック図である。
【００４５】
ここで、オブジェクト情報処理部１２の機能的構成について詳細に説明する。
【００４６】
図２に示すように、オブジェクト情報処理部１２は、その機能として、画像情報解析手段１６、オブジェクト情報抽出手段１７、オブジェクト情報変更手段１８を有する。
【００４７】
画像情報解析手段１６は、印刷データ制御部１１で生成した画像情報内のオブジェクトに関するオブジェクト情報を解析する。例えば、オブジェクト情報としては、オブジェクトのオブジェクト種類（テキスト、イメージ、グラフィックス）、当該オブジェクト種類の属性等である。
【００４８】
オブジェクト情報抽出手段１７は、画像情報解析手段１６で解析した画像情報のオブジェクト情報の抽出を実行する。
【００４９】
オブジェクト情報変更手段１８は、入力装置８により画像情報のオブジェクト情報の変更を受け付けた際に、受け付けた変更に従って、当該画像情報のオブジェクト情報の変更を実行する。
【００５０】
次に、ＵＩ制御部１３の機能的構成について詳細に説明する。
【００５１】
図２に示すように、ＵＩ制御部１３は、その機能として、プレビュー制御手段１９、変更指示受付手段２０を有する。
【００５２】
プレビュー制御手段１９は、印刷データ制御部１１で生成した画像情報のプレビュー、およびオブジェクト情報処理部１２のオブジェクト情報抽出手段１７で抽出した画像情報のオブジェクト情報の表示装置９への表示を実行する。
【００５３】
変更指示受付手段２０は、入力装置８により入力されたオブジェクト情報の変更指示の受け付けを実行する。
【００５４】
次に、プリンタドライバ５の機能的な動作の一例について図１および図２を参照して詳細に説明する。
【００５５】
印刷データ受付部１０はアプリケーション６から印刷データを受け付けると、受け付けた印刷データを印刷データ処理部１１に送出し、印刷データ処理部１１は印刷データを受け付けると、受け付けた印刷データを描画処理して画像情報を生成する。
【００５６】
ここで、画像情報の印刷プレビューの表示が要求されると、プレビュー制御手段１９は印刷データ処理部１１から画像情報を取り出し、取り出した画像情報のプレビューを生成し、生成した画像情報のプレビューを表示装置９に表示する。更に、画像情報解析手段１６は印刷データ処理部１１の画像情報内のオブジェクトに関するオブジェクト情報を解析し、オブジェクト情報抽出部１７は画像情報解析部１６が解析したオブジェクト情報を画像情報から抽出し、抽出したオブジェクト情報をプレビュー制御手段１９に送出し、プレビュー制御手段１９はオブジェクト情報を受け付けると、受け付けたオブジェクト情報を一時保持する。
【００５７】
ここで、オブジェクト情報の表示が要求されると、プレビュー制御手段１９は表示が要求されたオブジェクト情報を表示装置９に表示する。
【００５８】
ここで、表示装置９に表示されたオブジェクト情報の変更指示が入力装置８により入力されると、変更指示受付手段２０はオブジェクト情報の変更指示を受け付けると、受け付けたオブジェクト情報の変更指示をオブジェクト情報変更手段１２に送出し、オブジェクト情報変更手段１２はオブジェクト情報の変更指示を受け付けると、受け付けたオブジェクト情報の変更指示に従って画像情報のオブジェクト情報を変更する。
【００５９】
ここで、ＵＩ制御部１３は入力装置８から印刷指示を受け付けると、印刷データ処理部１１に印刷指示を通知し、印刷データ処理部１１は印刷指示の通知を受け付けると、画像情報を印刷ジョブ作成部１５に送出し、印刷ジョブ作成部１５は画像情報を受け付けると、受け付けた画像情報に基づいて印刷ジョブを作成し、通信制御部７は印刷ジョブ作成部１５が作成した印刷ジョブを印刷装置７に送信する。
【００６０】
次に、プリンタドライバ５が行う印刷制御処理および画像情報のオブジェクト情報の変更処理について図３に示すフローチャートを参照して説明する。
【００６１】
印刷データを受け付け（ステップＳ３０１）、受け付けた印刷データに基づいて画像情報を生成し（ステップＳ３０２）、生成した画像情報のプレビュー表示が要求されると（ステップＳ３０３でＹＥＳ）、画像情報のプレビューを表示し（ステップＳ３０４）、表示した画像情報のオブジェクト情報表示が要求されると（ステップＳ３０５でＹＥＳ）、画像情報を解析し（ステップＳ３０６）、画像情報からオブジェクト情報を抽出し（ステップＳ３０７）、抽出したオブジェクト情報を表示し（ステップＳ３０８）、表示したオブジェクト情報の変更指示を受け付けると（ステップＳ３０９でＹＥＳ）、受け付けた変更指示に従ってオブジェクト情報を変更し（ステップＳ３１０）、プレビュー表示が終了し（ステップＳ３１１でＹＥＳ）、印刷が指示されると（ステップＳ３１２でＹＥＳ）、印刷ジョブを作成し（ステップＳ３１３）、作成した印刷ジョブを印刷装置に送信し（ステップＳ３１４）、印刷制御処理および画像情報のオブジェクト情報の変更処理を終了する。
【００６２】
次に、画像情報のオブジェクト情報の変更処理について具体的な実施例を参照して詳細に説明する。
【００６３】
図４は、プレビュー画面２１の一例を示す図である。
【００６４】
図４に示すように、プレビュー画面２１は画像情報のプレビュー２２を表示するプレビュー表示部２３、プレビュー表示部２３で選択されたオブジェクトのオブジェクト情報を表示するオブジェクト情報表示部２４、アイコンボタンが配置されているツールバー２５から構成されている。
【００６５】
ここで、画像情報のプレビュー２２がプレビュー表示部２３に表示され、当該画像情報内には複数のオブジェクト（オブジェクトＡ〜Ｇ）が存在する。ここで、オブジェクトＡ２６１、オブジェクトＣ２６３およびオブジェクトＤ２６４のオブジェクト種類はイメージ、オブジェクトＢ２６２のオブジェクト種類はテキスト、オブジェクトＥ２６５、オブジェクトＦ２６６およびオブジェクトＧ２６７のオブジェクト種類はグラフィックスである。
【００６６】
ここで、ツールバーの印刷ボタン２７をクリックすることで、画像情報の印刷を開始することができる。
【００６７】
図５は、オブジェクトＢ２６２のオブジェクト情報を表示したプレビュー画面２１の一例を示す図である。
【００６８】
図５に示すように、ポインタ２８でオブジェクトＢ２６２を選択することで、オブジェクトＢ２６２のオブジェクト情報がオブジェクト情報表示部２４に表示される。ここで、オブジェクト情報表示部２４にはオブジェクトＢ２６２のオブジェクト情報としてオブジェクト種類、およびオブジェクト種類の属性としてフォント、サイズおよび色が表示されている。なお、オブジェクト情報は図５に示すものに限定はしない。
【００６９】
ここで、フォントのコンボボックス２９１に表示される複数の選択項目から所望のフォント、を選択することで、オブジェクトＢ２６２のフォントを変更することができ、サイズのコンボボックス２９２に表示される複数の選択項目から所望のサイズを選択することで、オブジェクトＢ２６２のサイズを変更することができ、色のコンボボックス２９３に表示される複数の選択項目から所望の色を選択することで、オブジェクトＢ２６２の色を変更することができ、太字のチェックボックス２９４にチェックを入力することで、オブジェクトＢ２６２を太字に変更することができ、イメージに変更ボタン２９５をクリックすることで、オブジェクトＢ２６２のオブジェクト種類をイメージに変更することができる。
【００７０】
図６は、オブジェクトＣ２６３のオブジェクト情報を表示したプレビュー画面２１の一例を示す図である。
【００７１】
図６（ａ）に示すように、ポインタ２８でオブジェクトＣ２６３を選択することで、オブジェクトＣ２６３のオブジェクト情報がオブジェクト情報表示部２４に表示される。ここで、オブジェクト情報表示部２４にはオブジェクトＣ２６３のオブジェクト情報としてオブジェクト種類、およびオブジェクト種類の属性としてイメージの種類、イメージの解像度、サイズの幅およびサイズの高さが表示されている。なお、オブジェクト情報は図６（ａ）に示すものに限定はしない。
【００７２】
ここで、イメージの種類のコンボボックス３０１に表示される複数の選択項目から所望のイメージの種類を選択することで、オブジェクトＣ２６３のイメージの種類を変更することができ、イメージの解像度の項目３０２に所望のイメージの解像度の値を入力することで、オブジェクトＣ２６３のイメージの解像度を変更することができ、サイズの幅の項目３０３１に所望のサイズの幅の値を入力することで（若しくは、サイズの幅の倍率の項目３０３２に所望の倍率の値を入力することで）、オブジェクトＣ２６３のサイズの幅を変更することができ、サイズの高さの項目３０４１に所望のサイズの高さの値を入力することで（若しくは、サイズの高さの倍率の項目３０４２に所望の倍率の値を入力することで）、オブジェクトＣ２６３のサイズの高さを変更することができ、サイズの単位のコンボボックス３０５に表示される複数の選択項目から所望のサイズの単位を選択することで、オブジェクトＣ２６３のサイズの単位を変更することができる。
【００７３】
また、イメージ編集ボタン３０６をクリックすることで、図６（ｂ）に示すようなイメージ編集ウィンドウ３１が表示される。
【００７４】
ここで、イメージ編集ウィンドウ３１のトリミングボタン３２をクリックすることで、オブジェクトＣ２６３のトリミング処理を行うことができ、回転ボタン３３をクリックすることで、オブジェクトＣ２６３の回転処理を行うことができ、調整ボタン３４をクリックすることで、オブジェクトＣ２６３の調整処理を行うことができる。
【００７５】
イメージ編集ウィンドウ３１のテキストに変更ボタン３４をクリックすると、ＯＣＲ（Optical Character Recognition ）機能を用いて、イメージ上の文字をテキストに変換することができる。
【００７６】
図７は、オブジェクトＥ２６５のオブジェクト情報を表示したプレビュー画面２１の一例を示す図である。
【００７７】
図７に示すように、ポインタ２８でオブジェクトＥ２６５を選択することで、オブジェクトＥ２６５のオブジェクト情報がオブジェクト情報表示部２４に表示される。ここで、オブジェクト情報表示部２４にはオブジェクトＥ２６５のオブジェクト情報としてオブジェクト種類、およびオブジェクト種類の属性として塗りつぶしの色、線の色、線の実線／点線、スタイルおよび太さが表示されている。なお、オブジェクト情報は図７に示すものに限定はしない。
【００７８】
ここで、塗りつぶしの色のコンボボックス３６に表示される複数の選択項目から所望の塗りつぶしの色を選択することで、オブジェクトＥ２６５の塗りつぶしの色を変更することができ、線の色のコンボボックス３７に表示される複数の選択項目から所望の線の色を選択することで、オブジェクトＥ２６５の線の色を変更することができ、線の実線／点線のコンボボックス３８に表示される複数の選択項目から所望の線の実線／点線を選択することで、オブジェクトＥ２６５の線の実線／点線を変更することができ、線のスタイルのコンボボックス３９に表示される複数の選択項目から所望の線のスタイルを選択することで、オブジェクトＥ２６５の線のスタイルを変更することができ、線の太さのコンボボックス４０に表示される複数の選択項目から所望の線の太さを選択することで、オブジェクトＥ２６５の線の太さを変更することができる。
【００７９】
なお、オブジェクトの描画情報（例えば、ペン、ブラシの色等）をオブジェクト種類の属性とする構成も適用可能である。
【００８０】
また、プレビュー画面２１から印刷するオブジェクトを指定する構成も適用可能であり、例えば、オブジェクトＡ２６１、オブジェクトＤ２６４、オブジェクトＦ２６６およびオブジェクトＧ２６７を選択することで、オブジェクトＡ２６１、オブジェクトＤ２６４、オブジェクトＦ２６６およびオブジェクトＧ２６７だけを印刷することができる。
【００８１】
また、オブジェクト情報を変更することで、画像情報の印刷に不具合が発生する場合、当該不具合を警告する構成も適用可能であり、例えば、画像情報の線を細い線に変更することで、２ｕｐ印刷を行うと、当該細い線がキャンセルされてしまい、当該細い線が印刷されないという不具合が発生する場合、プレビュー画面２１に当該不具合を警告することができる。
【００８２】
また、本発明は、上記で説明した実施例のように、情報処理装置２にプリンタドライバ５をインストールする構成に限定せず、情報処理装置２が上記で説明したプリンタドライバ５と同様な機能を有する印刷制御装置を内蔵または接続する構成でも適用可能である。
【図面の簡単な説明】
【００８３】
【図１】本発明の実施の形態で用いる印刷システム１の全体構成の一例を示すブロック図である。
【図２】オブジェクト情報処理部１２およびＵＩ制御部１３の機能的構成の一例を示すブロック図である。
【図３】プリンタドライバ５が行う印刷制御処理および画像情報のオブジェクト情報の変更処理を示すフローチャートである。
【図４】プレビュー画面２１の一例を示す図である。
【図５】オブジェクトＢ２６２のオブジェクト情報を表示したプレビュー画面２１の一例を示す図である。
【図６】オブジェクトＣ２６３のオブジェクト情報を表示したプレビュー画面２１の一例を示す図である。
【図７】オブジェクトＥ２６５のオブジェクト情報を表示したプレビュー画面２１の一例を示す図である。
【符号の説明】
【００８４】
１    印刷システム
２    情報処理装置
３    印刷装置
４    ネットワーク
５    プリンタドライバ
６    アプリケーション
７    通信制御部
８    入力装置
９    表示装置
１０    印刷データ受付部
１１    印刷データ処理部
１２    オブジェクト情報処理部
１３    ＵＩ制御部
１４    画像情報保存部
１５    印刷ジョブ作成部
１６    画像情報解析部
１７    オブジェクト情報抽出手段
１８    オブジェクト情報変更手段
１９    プレビュー制御手段
２０    変更指示受付手段
２１    プレビュー画面
２２    プレビュー
２３    プレビュー表示部
２４    オブジェクト情報表示部
２５    ツールバー
２６１    オブジェクトＡ
２６２    オブジェクトＢ
２６３    オブジェクトＣ
２６４    オブジェクトＤ
２６５    オブジェクトＥ
２６６    オブジェクトＦ
２６７    オブジェクトＧ
２７    印刷ボタン
２８    ポインタ
２９１    フォントのコンボボックス
２９２    サイズのコンボボックス
２９３    色のコンボボックス
２９４    文字のチェックボックス
２９５    イメージに変更ボタン
３０１    イメージの種類のコンボボックス
３０２    イメージの解像度の項目
３０３１    サイズの幅の項目
３０３２    サイズの幅の倍率の項目
３０４１    サイズの高さの項目
３０４２    サイズの高さの倍率の項目
３０５    サイズの単位のコンボボックス
３０６    イメージ編集ボタン
３１    イメージ編集ウィンドウ
３２    トリミングボタン
３３    回転ボタン
３４    調整ボタン
３５    テキストに変更ボタン
３６    塗りつぶしの色のコンボボックス
３７    線の色のコンボボックス
３８    線の実線／点線のコンボボックス
３９    線のスタイルのコンボボックス
４０    線の太さのコンボボックス
【図１】
2005227865.tif 000003
【図２】
2005227865.tif 000004
【図３】
2005227865.tif 000005
【図４】
2005227865.tif 000006
【図５】
2005227865.tif 000007
【図６】
2005227865.tif 000008
【図７】
2005227865.tif 000009